(57)【要約】【課題】  簡易な構成によりマイクロホンのランプリングの光束の方向を切換可能とする。【解決手段】  ランプリング４と、ランプリングから出射された光束１００が入射する切換式導光部材２１と、を備えるマイクロホン１１であって、切換式導光部材は、光束が入射可能な複数の導光部を備え、切換式導光部材は、ランプリングに対して移動可能であって、切換式導光部材は、移動する位置に応じて光束が入射する導光部を選択することにより光束の出射方向を変更可能である。【選択図】図１
2015207800.tif 000002
【特許請求の範囲】
【請求項１】
ランプリングと、
前記ランプリングから出射された光束が入射する切換式導光部材と、
を備えるマイクロホンであって、
前記切換式導光部材は、前記光束が入射可能な複数の導光部を備え、
前記切換式導光部材は、前記ランプリングに対して移動可能であって、
前記切換式導光部材は、前記移動する位置に応じて前記光束が入射する前記導光部を選択することにより前記光束の出射方向を変更可能である、
ことを特徴とするマイクロホン。
【請求項２】
前記切換式導光部材は、
前記光束が入射可能な第１導光部と、
前記光束が入射可能な第２導光部と、
を備え、
前記切換式導光部材が前記第１の位置にあるとき、前記光束は前記第１導光部に入射し、
前記切換式導光部材が前記第２の位置にあるとき、前記光束は前記第２導光部に入射し、
前記光束の前記第１導光部からの出射方向と、前記光束の前記第２導光部からの出射方向と、は異なる、
請求項１記載のマイクロホン。
【請求項３】
前記切換式導光部材は、前記光束が透過しない遮蔽材を備え、
前記切換式導光部材は、前記光束が前記遮蔽材によって遮蔽される第３の位置に移動可能である、
請求項１又は２記載のマイクロホン。
【請求項４】
前記遮蔽材は、前記切換式導光部材の周方向の一部に設けられている、
請求項３記載のマイクロホン。
【請求項５】
前記切換式導光部材は、前記ランプリングに沿って前記ランプリングの長手方向に摺動可能に設けられている、
請求項１乃至４のいずれかに記載のマイクロホン。
【請求項６】
前記導光部の少なくとも１つは、ミラーである、
請求項１乃至５のいずれかに記載のマイクロホン。
【請求項７】
前記導光部の少なくとも１つは、透光性材料である、
請求項１乃至６のいずれかに記載のマイクロホン。
【請求項８】
ウィンドスクリーン本体と、
切換式導光部材と、
を備えるマイクロホンのウィンドスクリーンであって、
前記マイクロホンは、ランプリングを備え、
前記ランプリングから出射された光束は、前記切換式導光部材に入射し、
前記切換式導光部材は、前記光束が入射可能な複数の導光部を備え、
前記切換式導光部材は、前記ランプリングに対して移動可能であって、
前記切換式導光部材は、前記移動する位置に応じて前記光束が入射する前記導光部を選択することにより前記光束の出射方向を変更可能である、
ことを特徴とするウィンドスクリーン。
【請求項９】
前記切換式導光部材は、
前記光束が入射可能な第１導光部と、
前記光束が入射可能な第２導光部と、
を備え、
前記切換式導光部材が前記第１の位置にあるとき、前記光束は前記第１導光部に入射し、
前記切換式導光部材が前記第２の位置にあるとき、前記光束は前記第２導光部に入射し、
前記光束の前記第１導光部からの出射方向と、前記光束の前記第２導光部からの出射方向と、は異なる、
請求項８記載のウィンドスクリーン。
【請求項１０】
前記切換式導光部材は前記光束が透過しない遮蔽材を備え、
前記切換式導光部材は、前記光束が前記遮蔽材によって遮蔽される第３の位置に移動可能である、
請求項８又は９記載のウィンドスクリーン。
【請求項１１】
前記遮蔽材は、前記切換式導光部材の周方向の一部に設けられている、
請求項１０記載のウィンドスクリーン。
【請求項１２】
前記切換式導光部材は、前記ランプリングに沿って前記ランプリングの長手方向に摺動可能に設けられる、
請求項８乃至１１のいずれかに記載のウィンドスクリーン。
【請求項１３】
前記ウィンドスクリーン本体は、焼結された複数の透明な粒子で構成されている、
請求項８乃至１２のいずれかに記載のウィンドスクリーン。
【請求項１４】
前記ウィンドスクリーン本体は、前記切換式導光部材と共に移動する、
請求項８乃至１３のいずれかに記載のウィンドスクリーン。
【発明の詳細な説明】
【技術分野】
【０００１】
本発明は、マイクロホンおよびウィンドスクリーンに関するものである。
【背景技術】
【０００２】
会議場などで利用されるマイクロホンには、例えば、グースネック型マイクロホンがある。グースネック型マイクロホンには、マイクロホンの状態を示すランプリングを備えるものが知られている。ここで、マイクロホンの状態とは、例えばオン状態とオフ状態がある。オン状態とは、スピーカーなどの接続機器がマイクロホンによって収音された音を受信する状態である。オフ状態とは、接続機器がマイクロホンによって収音された音を受信しない状態である。
【０００３】
図１０は、従来のグースネック型マイクロホンを示す概略断面図である。マイクロホン１６は、マイクロホンユニット２と、発光部３と、ランプリング４と、ウィンドスクリーン１５と、前側収納部６と、後側収納部７と、グースネック１０と、を備える。
【０００４】
前側収納部６は、マイクロホンユニット２を収納する金属製の筒である。前側収納部６は、ランプリング４の外周側面の一部と接合されている。
【０００５】
後側収納部７は、グースネック１０と接合されている。また、後側収納部７は、ランプリング４の側面の一部と接合されている。前側収納部６および後側収納部７は、共にランプリング４と接合することにより、発光部３を支持している。また、前側収納部６と後側収納部７との間には、ランプリング４が外から視認できるように隙間８が設けられている。
【０００６】
ランプリング４は、プラスチック製のリングである。ランプリング４は、具体的にはポリプロピレンやエラストマーで形成されている。ランプリング４の中心孔の中に、発光部３が設けられている。発光部３から光束が投射されることにより、ランプリング４全体が発光する。ランプリング４の発光は、隙間８によりマイクロホン１６の外部から視認可能である。
【０００７】
ランプリング４は、軸方向の外側面の略中央に、外径が拡大した大径部４１を有している。大径部４１は、隙間８から突出している。なお、大径部４１は、ランプリング４と共に発光部３からの光束により発光する。
【０００８】
ランプリング４の発光の有無は、マイクロホン１６の状態を報知するために用いられる。会議には、会議出席者以外に、会議補助者が運営に携わる場合がある。会議補助者とは、例えば、複数のマイクロホンからの信号を操作するミキサー操作者や、会議の様子を撮影するカメラマンなどである。ランプリング４の発光によって、ミキサー操作者はどのマイクロホンが使用されているかを常に把握することができる。また、カメラマンは話者が誰であるかを容易に把握することができる。会議出席者に対しては、ランプリングの発光によって、話者がマイクロホンのオン・オフの状態を適切に知ることができる。。
【０００９】
ここで、会議出席者と会議補助者とは、異なる方向からランプリング４を視認する場合がある。例えば、会議出席者は、マイクロホン１６のうちウィンドスクリーン１５側（マイクロホン１６の前方）からランプリング４を視認する。一方、会議補助者は、グースネック１０側（マイクロホン１６の後方）からランプリング４を視認する。
【００１０】
また、マイクロホンの前方からランプリング４を視認できるようなマイクロホン１６では、会議出席者の顔にランプリング４からの光束が照射される。したがって、会議の様子を撮影する場合には、マイクロホン１６の前方にはランプリング４の光束を出射しない構成が好ましい。
【００１１】
このように、マイクロホン１６のランプリング４は、使用の態様によって光束を異なる方向に出射することが望まれている。
【００１２】
そこで、マイクロホンのランプリングの光束の方向を切換可能とすることができるマイクロホンが必要とされている。
【００１３】
これまでにも、例えば、ウィンドスクリーンとケースとの内側に発光装置が設けられているマイクロホンが開示されている（例えば、特許文献１参照）。
【００１４】
また、ウィンドウグリルの内部に複数の発光素子が設けられているマイクロホンが開示されている（例えば、特許文献２参照）。
【００１５】
しかしながら、特許文献１及び２には、マイクロホンのランプリングの光束の方向を切換可能とする構成については開示されていなかった。
【００１６】
また、特許文献３には、光学表示器の可視光の出射方向を偏向することができる光学指示器付きマイクロホンが開示されている。
【００１７】
しかしながら、特許文献３の光学表示器の光束は、一定の方向にのみ出射するため、ランプリングを有する構成ではない。したがって、特許文献３の光学表示器は、マイクロホンのランプリングの光束の方向を切換可能とする本願発明の目的とは、発明の目的が異なる。
【先行技術文献】
【特許文献】
【００１８】
【特許文献１】実開平７−１６４９０号公報
【特許文献２】特開平９−９３６７９号公報
【特許文献３】登録実用新案第２５５８２４９号公報
【発明の概要】
【発明が解決しようとする課題】
【００１９】
本発明は、簡易な構成によりマイクロホンのランプリングの光束の方向を切換可能とすることができるマイクロホンおよびウィンドスクリーンを提供することを目的とする。
【課題を解決するための手段】
【００２０】
本発明にかかるマイクロホンは、ランプリングと、ランプリングから出射された光束が入射する切換式導光部材と、を備えるマイクロホンであって、切換式導光部材は、光束が入射可能な導光部を備え、切換式導光部材は、前記ランプリングに対して移動可能であって、切換式導光部材は、前記移動する位置に応じて前記光束が入射する前記導光部を選択することにより前記光束の出射方向を変更可能であることを特徴とする。
【００２１】
また、本発明にかかるウィンドスクリーンは、ウィンドスクリーン本体と、切換式導光部材と、を備えるマイクロホンのウィンドスクリーンであって、マイクロホンは、ランプリングを備え、ランプリングから出射された光束は、切換式導光部材に入射し、切換式導光部材は、光束が入射可能な導光部を備え、切換式導光部材は、前記ランプリングに対して移動可能であって、切換式導光部材は、前記光束が入射する前記導光部を選択することにより前記光束の出射方向を変更可能であることを特徴とする。
【発明の効果】
【００２２】
本発明によれば、簡易な構成によりマイクロホンのランプリングの光束の方向を切換可能とすることができる。そのため、マイクロホンの使用状況に適したマイクロホンのオン・オフ状態の報知をすることができる。
【図面の簡単な説明】
【００２３】
【図１】本発明にかかるマイクロホンの実施の形態を示す縦断面図である。
【図２】上記マイクロホンの斜視図である。
【図３】本発明にかかるウィンドスクリーンの実施の形態を示す縦断面図である。
【図４】上記マイクロホンが備える切換式導光部材が第２の位置にある状態を示す縦断面図である。
【図５】上記切換式導光部材が第３の位置にある状態を示す縦断面図である。
【図６】本発明にかかるマイクロホンの他の実施の形態を示す縦断面図の部分拡大図である。
【図７】本発明にかかるマイクロホンのさらに他の実施の形態を示す縦断面図の部分拡大図である。
【図８】本発明にかかるマイクロホンのさらに他の実施の形態を示す縦断面図である。
【図９】本発明にかかるマイクロホンのさらに他の実施の形態を示す縦断面図である。
【図１０】従来のマイクロホンを示す縦断面図である。
【発明を実施するための形態】
【００２４】
以下、本発明にかかるマイクロホンと、ウィンドスクリーンと、の実施の形態について、図面を参照しながら説明する。
【００２５】
●マイクロホン（１）●
まず、本発明にかかるマイクロホンの実施の形態について説明する。
【００２６】
図１に示すように、マイクロホン１１は、マイクロホンユニット２と、発光部３と、ランプリング４と、ウィンドスクリーン５と、前側収納部６と、後側収納部７と、グースネック１０と、を備える。
【００２７】
マイクロホン１は、エレクトレットコンデンサマイクロホンである。
【００２８】
なお、マイクロホン１は、コンデンサマイクロホンや、ダイナミックマイクロホンなど、いずれの種類のマイクロホンであってもよい。
【００２９】
●マイクロホンユニット２、発光部３、ランプリング４、前側収納部６および後側収納部７の構成
【００３０】
図１に示すように、前側収納部６は、金属製の筒であり、マイクロホンユニット２を収納する。前側収納部６は、ランプリング４の前側の外周面の一部と接合されている。
【００３１】
後側収納部７は、グースネック１０と接合されている。また、後側収納部７は、ランプリング４の後側の外周面の一部と接合されている。前側収納部６および後側収納部７は、共にランプリング４と接合することにより、発光部３を支持している。また、前側収納部６と後側収納部７との間には、隙間８が設けられている。この隙間８により、ランプリング４が外から視認できる。
【００３２】
ここで、発光部３は、例えば発光ダイオードである。また、発光部３は、複数設けられていてもよい。
【００３３】
また、複数の発光部３は、色の異なる発光部３が設けられていてもよい。色の異なる発光部３を選択的に点灯させることにより、ランプリング４を複数色で点灯させることができる。
【００３４】
ランプリング４は、プラスチック製のリングであり、発光部３からの光束が投射されることで発光する。ランプリング４の中心孔の中に、発光部３が設けられている。発光部３からの光束によって、ランプリング４全体が発光する。ランプリング４からの光束は、隙間８により外部から視認可能である。
【００３５】
図２に示すように、前側収納部６と後側収納部７との間には隙間８が設けられている。なお、図２では、後述する切換式導光部材２１の記載は省略した。
【００３６】
ランプリング４は、軸方向の外側面の略中央に、外径が拡大した大径部４１を有している。大径部４１は、隙間８から突出している。すなわち、前側収納部６および後側収納部７は、大径部４１を挟み込むように形成されている。大径部４１は、ランプリング４と同一部材で形成されており、発光部３からの光束により発光する。
【００３７】
ランプリング４は、無色でもよいし、着色されていてもよい。ランプリング４が着色されていることで、隙間８から出射する光を有色にすることができる。
【００３８】
●ウィンドスクリーン５の構成
次に、ウィンドスクリーン５の構成について説明する。ウィンドスクリーン５は、マイクロホンユニット２を包み込むキャップである。ウィンドスクリーン５は、マイクロホンユニット２が風により発生する雑音を防止するために用いられる。ウィンドスクリーン５は、すなわち、音響抵抗材として機能する。
【００３９】
図３に示すように、ウィンドスクリーン５は、ウィンドスクリーン本体２０と、切換式導光部材２１と、を備える。
【００４０】
ウィンドスクリーン本体２０は、透明な球状粒子２００を焼結することにより形成されている。すなわち、ウィンドスクリーン本体２０は、透光性を有する。
【００４１】
ウィンドスクリーン本体２０を透明な球状粒子２００で作製することにより、ウィンドスクリーン５側（マイクロホン１の前方）からでもランプリング４からの光束１００を視認することができる。
【００４２】
なお、ウィンドスクリーン本体２０は、透光性樹脂を粉砕して焼結することにより形成されていてもよい。
【００４３】
また、ウィンドスクリーン本体２０は、無色透明でもよく、有色でもよい。
【００４４】
さらにまた、ウィンドスクリーン５は、ウィンドスクリーン本体２０と前側収納部６との間にウレタンフォーム等のスポンジ層が設けられていてもよい。このスポンジ層は、音響抵抗材として機能する。
【００４５】
ウィンドスクリーン本体２０の内側にスポンジ層が設けられていることにより、音響抵抗を容易に調整することができる。このような構成は、スポンジ層の無い構成に比べて、マイクロホン１１への風による雑音の防止効果を向上させる。また、ウィンドスクリーン本体２０の内側にスポンジ層が設けられていることにより、この構成は、スポンジ層が外部に露出している従来の構成に比べて、耐候性を向上させる。
【００４６】
●切換式導光部材２１の構成
次に、切換式導光部材２１の構成について説明する。切換式導光部材２１は、リング状の部材であり、ランプリング４からの光束を所定の方向に切り換える機能を有する。
【００４７】
図３に示すように、切換式導光部材２１は、ウィンドスクリーン本体２０の後端に接合されている。
【００４８】
切換式導光部材２１は、第１導光部２１１、第２導光部２１２、第３導光部２１３および第４導光部２１４を備える。
【００４９】
第１導光部２１１、第２導光部２１２、第３導光部２１３および第４導光部２１４は、ランプリング４からの光束が入射可能な光学素子である。
【００５０】
第１導光部２１１と第３導光部２１３はミラーである。第１導光部２１１と第３導光部２１３は、例えばアルミニウムの真空蒸着によって形成できる。第１導光部２１１は、第２導光部２１２とウィンドスクリーン本体２０との接触面上に形成されている。第３導光部２１３は、第２導光部２１２と第４導光部２１４との接触面上に形成されている。
【００５１】
第１導光部２１１は、前側（図１において左側）から見て中心部が窪んだ円錐面である。第３導光部２１３は、後側（図１において右側）から見て中心部が窪んだ円錐面である。
【００５２】
第２導光部２１２と第４導光部２１４とは、透光性材料である。第２導光部２１２と第４導光部２１４とは、例えばポリメタクリル酸メチル（ＰＭＭＡ）で形成されている。
【００５３】
第２導光部２１２は、縦断面形状が略台形で、内径部の表面積が外径部の表面積よりも小さいリング状の部品である。第２導光部２１２の内周の円筒面は、光透過面２１５となっている。また、第４導光部２１４は、中央部を円筒状にくり抜いた円錐台形状の部品である。第４導光部２１４の縦断面形状は、略三角形である。
【００５４】
図１に示すように、切換式導光部材２１は、後側収納部７の周囲に設置されている。後側収納部７は切換式導光部材２１の中心孔を貫通している。切換式導光部材２１は、前側収納部６、後側収納部７およびランプリング４の大径部４１の外側面に沿って移動可能に設けられている。より具体的には、切換式導光部材２１は、前側収納部６、後側収納部７およびランプリング４の大径部４１の外側面に沿ってランプリングの長手方向に摺動可能である。そのため、切換式導光部材２１が前側収納部６、後側収納部７又は大径部４１のそれぞれと接触する。これらの位置それぞれが切換位置となる。
【００５５】
切換式導光部材２１は、前側収納部６、後側収納部７又は大径部４１との接触面に生じる摩擦により、それぞれの切換位置に維持されている。
【００５６】
ここで、切換式導光部材２１の切換位置には、凸部と凹部を設ける構造を用いても良い。例えば、切換式導光部材２１と前側収納部６の外周面との接触面のうち、一方の面に凸部を設け、もう一方の面に凹部を設ける。切換式導光部材２１と前側収納部６の外周面とを凸部と凹部とで維持することにより、切換式導光部材２１のランプリング４に対する位置を精度よく調整して、確実に維持することができる。また、この構成には従来から知られるその他のスライド機構、例えばバネによるスライド機構などを適用してもよい。
【００５７】
●切換式導光部材２１、光束１００、光束１０１および光束１０２の関係
ここで、光束１００、光束１０１および光束１０２は、ランプリング４から出射される光束である。
【００５８】
図１は、切換式導光部材２１が第１の位置に設けられている状態を示している。ここで、第１の位置とは、ランプリング４の大径部４１からの光束がウィンドスクリーン本体２０に入射している状態の位置である。
【００５９】
切換式導光部材２１が第１の位置にあるとき、光束１００は、ウィンドスクリーン本体２０を半径方向外側に向かって透過し、第１導光部２１１に入射する。第１導光部２１１は、光束１００をマイクロホン１１の前方へ反射する。第１導光部２１１が反射した光束１００は、ウィンドスクリーン本体２０の内部を透過する。このとき、光束１００はウィンドスクリーン本体２０内の球状粒子２００を乱反射しながら通過する。そのため、光束１００は、ウィンドスクリーン本体２０内全体に拡散して行き渡る。
【００６０】
したがって、切換式導光部材２１が第１の位置にあるときは、第１導光部２１１がランプリング４からの光束１００をマイクロホン１１の前方へ反射する。そのため、この態様はマイクロホン１１の前方にいる会議出席者又は会議補助者へランプリング４の発光を視認させることができる。
【００６１】
図４は、マイクロホン１１が備える切換式導光部材２１が第２の位置にある状態を示す縦断面図である。ここで、第２の位置とは、大径部４１からの光束が光透過面２１５に入射している位置を指す。
【００６２】
ウィンドスクリーン本体２０は、切換式導光部材２１と共に移動する。したがって、切換式導光部材２１が第２の位置にあるときウィンドスクリーン本体２０と前側収納部６との間には、空洞３０が生じている。
【００６３】
切換式導光部材２１が第２の位置にあるとき、光束１０１は、光透過面２１５を通って第２導光部２１２に入射する。第２導光部２１２は、光束１０１をマイクロホン１１の側方へ透過する。
【００６４】
したがって、切換式導光部材２１が第２の位置にあるときは、第２導光部２１２が光束１０１をマイクロホン１１の側方へ透過する。したがって、この態様は、マイクロホン１１の側方にいる会議出席者又は会議補助者へランプリング４の発光を視認させることができる。
【００６５】
図５は、マイクロホン１１が備える切換式導光部材２１が第３の位置にある状態を示す縦断面図である。ここで、第３の位置とは、ランプリング４の大径部４１からの光束が第４導光部２１４に入射している位置を指す。
【００６６】
ウィンドスクリーン本体２０は、切換式導光部材２１と共に移動する。したがって、ウィンドスクリーン本体２０と前側収納部６との間には、空洞３１が生じている。この空洞３１は、空洞３０よりも大きい。
【００６７】
切換式導光部材２１が第３の位置にあるとき、光束１０２は、第３導光部２１３に入射する。第３導光部２１３は、光束１０２を第４導光部２１４の内部に導く。第４導光部２１４は、光束１０２を第４導光部２１４の半径方向外側に向かって透過させ、光束１０２をマイクロホン１１の後方へ反射する。
【００６８】
したがって、切換式導光部材２１が第３の位置にあるときは、第３導光部２１３が光束１０２をマイクロホン１１の後方へ反射する。この態様は、マイクロホン１１の後方にいる会議出席者又は会議補助者にランプリング４からの光束を視認させることができる。
【００６９】
このように、光束１００の第１導光部２１１からの出射方向と、光束１０１の第２導光部２１２からの出射方向と、光束１０２の第３導光部２１３からの出射方向と、は異なる。
【００７０】
以上説明した実施の形態によれば、切換式導光部材２１を移動することにより、ランプリング４からの光束を異なる方向に切換可能とすることができる。すなわち、簡易な構成によりマイクロホンのランプリングの光束の方向を切換可能とすることができる。
【００７１】
なお、以上説明した実施の形態は、モノラルのマイクロホンであった。しかし、本発明にかかるマイクロホンは、これ以外の、ステレオマイクロホンなどにも適用可能である。
【００７２】
●マイクロホン（２）●
次に、本発明にかかるマイクロホンの他の実施の形態について、先に説明した実施の形態と異なる部分を中心に説明する。ここで、本実施の形態は、第２導光部２３を省いた構成である点において、先に説明した実施の形態と異なる。
【００７３】
図６に示すように、マイクロホン１２は切換式導光部材２２を備える。切換式導光部材２２は、第１導光部２２１、第３導光部２２３、第４導光部２２４を備える。すなわち、切換式導光部材２２は、マイクロホン（１）の切換式導光部材２１と比較して第２導光部２１２を除いた構成となっている。
【００７４】
第１導光部２２１と第３導光部２２３との間には、第１導光部２２１と第３導光部２２３とを支持する支持部２２７が設けられている。支持部２２７の形状は、  縦断面形状が略三角形の形状である。すなわち、この実施形態における切換式導光部材２２は、切換式導光部材２１における光透過面２１５を有しない形状である。支持部２２７は、任意の素材で形成されている。
【００７５】
第１導光部２２１の位置がランプリング４の大径部４１からの光束１０３を入射可能な位置にあるとき、光束１０３は、ウィンドスクリーン５を透過して前方に出射する。一方、第４導光部２２４の位置が光束１０３を入射可能な位置にあるとき、光束１０３は、第４導光部２２４を透過して第３導光部２２３で反射し、図６の破線で示した方向、すなわちマイクロホン１２の後方へ出射する。
【００７６】
すなわち、マイクロホン１２は、切換式導光部材２２を移動させることにより、ランプリング４からの光束を前方に出射する形態と、後方に出射する形態と、を容易に切り替えることができる。
【００７７】
また、切換式導光部材２２を大径部４１のランプリング４の長手方向における中心に位置するように移動可能にしてもよい。このとき、ランプリング４からの光束１０３は、第１導光部２２１と第４導光部２２４の両側に出射される。そのため、マイクロホン１２全体を光らせることが可能となる。
【００７８】
●マイクロホン（３）●
次に、本発明にかかるマイクロホンの他の実施の形態について、先に説明した実施の形態と異なる部分を中心に説明する。ここで、本実施の形態は、切換式導光部材２３、切換式導光部材２１と比較して第３導光部２１３を除いた構成である点において、先に説明した実施の形態と異なる。
【００７９】
図７に示すように、マイクロホン１３は切換式導光部材２３を備える。切換式導光部材２３は、第１導光部２３１および第５導光部２３５を備える。第５導光部２３５は、マイクロホン（１）の切換式導光部材２１における第２導光部２１２と第４導光部２１４とが合体した形状をしている。言い換えれば、切換式導光部材２３は、切換式導光部材２１と比較して第３導光部２１３を除いた構成となっている。
【００８０】
第５導光部２３５は、透光性材料であり、例えばポリメタクリル酸メチル（ＰＭＭＡ）で形成されている。第５導光部２３５の内側の円筒面は、光透過面２３６となっている。
【００８１】
切換式導光部材２３がランプリング４の大径部４１からの光束１０４を第１導光部２３１に入射可能な位置にあるとき、光束１０４は、ウィンドスクリーン５を透過して前方に出射する。一方、切換式導光部材２３が光束１０４を第５導光部２３５に入射可能な位置にあるとき、光束１０４は、光透過面２３６から第５導光部２３５に入射して、図７の破線で示した方向、すなわちマイクロホン１３の側方へ出射する。
【００８２】
すなわち、マイクロホン１３は、切換式導光部材２３を移動させることにより、ランプリング４からの光束を前方に出射する形態と、側方に出射する形態と、を容易に切り替えることができる。
【００８３】
●マイクロホン（４）●
次に、本発明にかかるマイクロホンの他の実施の形態について、先に説明した実施の形態と異なる部分を中心に説明する。ここで、本実施の形態は、第４導光部２１４の位置に光束を透過しない遮蔽材３２が設けられている点において、先に説明した実施の形態と異なる。
【００８４】
図８に示すように、マイクロホン１４は切換式導光部材２４を備える。切換式導光部材２４は、第１導光部２４１、第２導光部２４２、および遮蔽材３２を備える。遮蔽材３２は、中央部を円筒状にくり抜いた円錐台形状の部品である。遮蔽材３２の縦断面形状は、略三角形である。すなわち、遮蔽材３２の形状は、マイクロホン（１）の切換式導光部材２１における第４導光部２１４と同様である。
【００８５】
遮蔽材３２は、例えば光束を透過しない樹脂で形成されている。
【００８６】
切換式導光部材２４が大径部４１からの光束を遮蔽材３２に入射させる位置にあるとき、ランプリング４からの光束は遮蔽される。すなわち、ランプリング４からの光束は、切換式導光部材２４の外部に出射されない。
【００８７】
切換式導光部材２４に遮蔽材３２を設けることにより、ランプリング４からの光束が外部から視認できない形態に容易に切り替えることができる。
【００８８】
●マイクロホン（５）●
次に、本発明にかかるマイクロホンの他の実施の形態について、先に説明した実施の形態と異なる部分を中心に説明する。ここで、本実施の形態は、切換式導光部材の周方向の一部に光束を透過しない部分遮蔽材３３が設けられている点において、先に説明した実施の形態と異なる。
【００８９】
図９に示すように、マイクロホン１５は切換式導光部材２５を備える。切換式導光部材２５は、第１導光部２５１、第２導光部２５２、第３導光部２５３および部分遮蔽材３３を備える。部分遮蔽材３３は、中央部を円筒状にくり抜いた円錐台形状のうちの一部の形状をなす部品である。部分遮蔽材３３は、例えば第４導光部２１４の略円錐台形状のうち、中心軸線を含む面であって適宜の開き角度を持った２つの面に沿って切断した形状である。
【００９０】
部分遮蔽材３３と第３導光部２５３の隣接部分には、空洞３４が生じている。
【００９１】
なお、空洞３４には、透光性材料で形成された導光部があってもよい。
【００９２】
大径部４１からの光束が部分遮蔽材３３に入射する位置にあるとき、ランプリング４からの光束は、部分遮蔽材３３のある方向には出射されない。一方、ランプリング４からの光束は、空洞３４を通って第３導光部２５３で反射し、マイクロホン１５の外部へ出射される。すなわち、ランプリング４からの光束は、マイクロホンユニット２の周方向において一定の方向にのみ出射する。
【００９３】
図９に示す例では、空洞３４に向けて出射された光束は、第３導光部２５３で斜め下後方に向けて出射するように構成されている。
【００９４】
切換式導光部材２５に部分遮蔽材３３を設けることにより、例えばマイクロホン１５を使用する話者の手元のみをランプリング４からの光束により照らすことができ、いわゆるデスクランプとして機能する。
【００９５】
切換式導光部材２５に部分遮蔽材３３を設けることにより、ランプリング４からの光束がマイクロホンユニットの半径方向における一定の方向にのみ出射する形態に容易に切り替えることができる。
【００９６】
また、切換式導光部材２５は、マイクロホン１５の半径方向に回転可能に設けられていてもよい。
【００９７】
切換式導光部材２５が、マイクロホン１５の半径方向に回転可能に設けられていることにより、ランプリング４からの光束が出射するマイクロホン１５の半径方向の出射方向を変更することができる。
【００９８】
これらの実施の形態によれば、マイクロホンのオン・オフの状態を選択的に報知することが可能となる。例えば、周囲全体に状態を知らせたいときには、ウィンドスクリーン全体を発光させることが可能となる。また、会議補助者のみがマイクロホンのオン・オフ状態を知りたいときなどは、ウィンドスクリーンを部分的に発光させることも可能である。発光を下方に切り替えることもできるので、会議をカメラで録画する際に話者の顔を不要に照らすことも無くなる。
【符号の説明】
【００９９】
１１    マイクロホン
２      マイクロホンユニット
３      発光部
４      ランプリング
５      ウィンドスクリーン
６      前側収納部
７      後側収納部
８      隙間
１０    グースネック
２０    ウィンドスクリーン本体
２１    切換式導光部材
２１１  第１導光部
２１２  第２導光部
２１３  第３導光部
２１４  第４導光部
１００  光束
２００  球状粒子
【図１】
2015207800.tif 000003
【図２】
2015207800.tif 000004
【図３】
2015207800.tif 000005
【図４】
2015207800.tif 000006
【図５】
2015207800.tif 000007
【図６】
2015207800.tif 000008
【図７】
2015207800.tif 000009
【図８】
2015207800.tif 000010
【図９】
2015207800.tif 000011
【図１０】
2015207800.tif 000012